(57)【要約】【課題】耐摩耗性に優れ、それによって製品寿命が向上する靴下を提供することを目的としている。【解決手段】使用者の足Ｆを被覆する靴下本体２を有してなる靴下であって、前記靴下本体２の踵部２０、足底部２１及びつま先部２２表面には、夫々摩耗強度の高い補強素材３が縫着されてなることを特徴としている。【選択図】図１
0003168230.tif 000002
【実用新案登録請求の範囲】
【請求項１】
使用者の足を被覆する靴下本体を有してなる靴下であって、
前記靴下本体の踵部、足底部及びつま先部表面には、夫々摩耗強度の高い補強素材が縫着されてなることを特徴とする靴下。
【請求項２】
前記補強素材が縫着された前記靴下本体の踵部、足底部、つま先部のうち少なくともいずれかの箇所に、前記補強素材が縫着されていない非縫着部が設けられてなることを特徴とする請求項１に記載の靴下。
【請求項３】
前記非縫着部にゴム等の伸縮性部材が縫着されてなることを特徴とする請求項２に記載の靴下。
【考案の詳細な説明】
【技術分野】
【０００１】
本考案は、靴下に関するものであって、特に耐摩耗性に優れた靴下に関する。
【背景技術】
【０００２】
従来の靴下としては、例えば特許文献１に記載のような靴下が知られている。この種の靴下は、通気性等を考慮してウール等の天然繊維素材で編成されるのが一般的である。
【先行技術文献】
【特許文献】
【０００３】
【特許文献１】実開平６−３７３０４号公報
【考案の概要】
【考案が解決しようとする課題】
【０００４】
そのため、上記のような従来の靴下は、耐摩耗性が低く、それゆえ、使用後しばらくして、つま先部分が足の爪等で破れたり、踵部分や足底部分が擦り減って破れたりと製品寿命の短さに問題があった。
【０００５】
そこで本考案は、上記問題点に鑑み、耐摩耗性に優れ、それによって製品寿命が向上する靴下を提供することを目的としている。
【課題を解決するための手段】
【０００６】
上記課題を解決するための手段を、後述する実施形態の参照符号を付して説明すると、請求項１の考案にかかる靴下は、使用者の足Ｆを被覆する靴下本体２を有してなる靴下であって、前記靴下本体２の踵部２０、足底部２１及びつま先部２２表面には、夫々摩耗強度の高い補強素材３が縫着されてなることを特徴としている。
【０００７】
また、請求項２の考案にかかる靴下は、上記請求項１に記載の靴下において、前記補強素材３が縫着された前記靴下本体２の踵部２０、足底部２１、つま先部２２のうち少なくともいずれかの箇所に、前記補強素材３が縫着されていない非縫着部４が設けられてなることを特徴としている。
【０００８】
そして、請求項３の考案にかかる靴下は、上記請求項２に記載の靴下において、前記非縫着部４にゴム等の伸縮性部材５が縫着されてなることを特徴としている。
【考案の効果】
【０００９】
次に、本考案の効果について、図面の参照符号を付して説明する。まず、請求項１の考案にかかる靴下によれば、靴下本体２の踵部２０、足底部２１及びつま先部２２の表面には摩耗強度の高い補強素材３が縫着されているから、つま先部分が足の爪等で破れたり、踵部分や足底部分が擦り減って破れたりという事態を低減させることができる。そのため、本考案によれば、耐摩耗性を向上させることができ、それがために製品寿命を向上させることができる。
【００１０】
一方、請求項２の考案によれば、靴下本体２の踵部２０、足底部２１、つま先部２２のうち少なくともいずれかの箇所に、上記補強素材３が縫着されていない非縫着部４が設けられているから、その非縫着部４によって、その部分の耐摩耗性は若干低下するものの靴下本体の弾力性が高まり履き心地が良くなる。
【００１１】
そして、請求項３の考案によれば、上記非縫着部４に、ゴム等の伸縮部材５が縫着されているから、靴下本体の弾性力がより高まり、さらに履き心地が良くなる。
【図面の簡単な説明】
【００１２】
【図１】本考案の第１実施形態に係る靴下の使用状態を示す斜視図である。
【図２】同実施形態に係る靴下の縦断面図である。
【図３】本考案の第２実施形態に係る靴下の使用状態を示す斜視図である。
【図４】本考案の第３実施形態に係る靴下の使用状態を示す斜視図である。
【図５】本考案の第１実施形態〜第３実施形態に係る靴下本体の他の２層構造を示した縦断面図である。
【図６】本考案の第１実施形態〜第３実施形態に係る靴下本体の１層構造を示した縦断面図である。
【考案を実施するための形態】
【００１３】
＜第１実施形態＞
以下、本考案に係る靴下の第１実施形態について図１及び図２を参照して具体的に説明する。
【００１４】
本実施形態に係る靴下１は、図１及び図２に示すように、使用者の足Ｆのつま先部分から足首付近までを覆う靴下本体２と、その靴下本体２の踵部２０、足底部２１及びつま先部２２の表面夫々に縫着されている補強素材３とで構成されている。
【００１５】
靴下本体２は、図２に示すように、内糸２ａ及び表糸２ｂで編成される２層構造に形成され、内糸２ａは、使用者の足Ｆに接する部分であるため、履き心地を考慮し、伸縮性のあるポリウレタン繊維糸等を用い、表糸２ｂは、綿糸、毛糸等を用いている。そして、このような内糸２ａ、表糸２ｂを用いて、メリヤス編みやパイル編み等によって２層構造に編成することで、靴下本体２が形成されている。また、図１に示すように、靴下本体２の足首部２３には、履き口部２４が形成されており、この履き口部２４は、ゴム等を入れることによって比較的弱い伸縮性をもたせるように形成されている。
【００１６】
一方、補強素材３は、摩擦強度の高いウーリーナイロン等の合成繊維素材が用いられており、上記のような２層構造に編成されている靴下本体２の踵部２０、足底部２１及びつま先部２２の表面夫々に、メリヤス編みやパイル編み等によって編成されることで縫着されている。これにより、靴下１は３層構造に形成される。なお、摩擦強度の高いウーリーナイロン等の合成繊維素材は、通気性が悪く、靴下本体２の全面に亘って補強素材３を設けると、靴下本体２自体の通気性が悪くなり、汗などによって悪臭の原因となり衛生的にも非常に良くないため、本実施形態においては、靴下本体２の踵部２０、足底部２１及びつま先部２２表面のみに補強素材３を縫着している。
【００１７】
しかして、本実施形態によれば、靴下本体２の踵部２０、足底部２１及びつま先部２２の表面には摩耗強度の高い補強素材３が縫着されているから、つま先部分が足の爪等で破れたり、踵部分や足底部分が擦り減って破れたりということを低減させることができる。そのため、本実施形態によれば、耐摩耗性を向上させることができ、それがために製品寿命を向上させることができる。
【００１８】
＜第２実施形態＞
次に、本考案に係る靴下の第２実施形態について、図３を参照して具体的に説明する。なお、第１実施形態と同一構成については、同一の符号を付し、説明は省略する。
【００１９】
本実施形態に係る靴下１０は、図３に示すように、使用者の足Ｆのつま先部分から足首付近までを覆う靴下本体２と、その靴下本体２の踵部２０、足底部２１及びつま先部２２表面夫々に縫着されている補強素材３とで構成されており、この点においては、第１実施形態の靴下１と同一である。相違点は、足底部２１の一部に、上記補強素材３が縫着されていない非縫着部４が設けられている点である。
【００２０】
このように、足底部２１の一部に、上記補強素材３が縫着されていない非縫着部４を設けることによって、その部分の耐摩耗性が若干低下するものの靴下本体の弾力性が高まり履き心地が良くなる。
【００２１】
なお、本実施形態では、非縫着部４を足底部２１の一部に一つ設ける例を示したが、勿論複数箇所設けても良い。また、足底部２１に限らず、踵部２０、つま先部２２にも非縫着部４を設けても良い。
【００２２】
＜第３実施形態＞
次に、本考案に係る靴下の第３実施形態について、図４を参照して具体的に説明する。なお、第１実施形態及び第２実施形態と同一構成については、同一の符号を付し、説明は省略する。
【００２３】
本実施形態に係る靴下１００は、図４に示すように、使用者の足Ｆのつま先部分から足首付近までを覆う靴下本体２と、その靴下本体２の踵部２０、足底部２１及びつま先部２２表面の夫々に縫着されている補強素材３とで構成され、そして、足底部２１の一部に、上記補強素材３が縫着されていない非縫着部４が設けられている。しかして、この点においては、第２実施形態の靴下１０と同一である。相違点は、足底部２１の一部に、設けられている非縫着部４に、ゴム等の伸縮部材５が縫着されている点である。
【００２４】
このように、非縫着部４に、ゴム等の伸縮部材５が縫着されることによって靴下本体の弾性力がより高まり、さらに履き心地が良くなる。
【００２５】
一方、上記第１〜３実施形態において例示した靴下本体２は、図２に示すように、内糸２ａ及び表糸２ｂ夫々の糸を用いて、使用者の足Ｆのつま先部分から足首付近までを覆うようにメリヤス編みやパイル編み等によって編成し２層構造に形成する例を示したが、図５に示すように、靴下本体２の踵部分２０及びつま先部分２２を表糸２ｂのみで編成して２層構造に形成するようにしても良い。
【００２６】
また、靴下本体２を形成するにあたって、２層構造で編成せずとも、図６に示すように、内糸２ａのみを用いて１層構造で編成しても良い。
【符号の説明】
【００２７】
１，１０，１００      靴下
２                    靴下本体
３                    補強素材
４                    非縫着部
５                    伸縮部材
２０                  踵部
２１                  足底部
２２                  つま先部
Ｆ                    足
【図１】
0003168230.tif 000003
【図２】
0003168230.tif 000004
【図３】
0003168230.tif 000005
【図４】
0003168230.tif 000006
【図５】
0003168230.tif 000007
【図６】
0003168230.tif 000008